(57)【要約】【課題】小形でかつ安定した遮断特性を得ることができる回路遮断器を提供する。【解決手段】電源端子金具と負荷接続端子とをそれぞれ電気的に導通させる電路R1の一部をなし過電流により変形可能なバイメタル53を設ける。電路R1の一部をなす常開のスイッチ部61を開状態と閉状態とのいずれかに設定するハンドル86を設ける。ハンドル86により設定した閉状態にスイッチ部61を保持するラッチ体88を設ける。電路R1，R2の接続配線58，59を電磁継鉄56の内部に挿通して、電路R1，R2を流れる過電流を加算して磁力を発生させる。過電流によるバイメタル53の変形と電磁継鉄56で発生する磁力とのいずれかによって動作することによりラッチ体88によるスイッチ部61の閉状態の保持をハンドル86の設定に拘らず強制的に解除可能な可動部57を設ける。【選択図】図１
2011065952.tif 000002
【特許請求の範囲】
【請求項１】
導電体をそれぞれ接続可能な対をなす導電体接続端子と；
負荷を間に接続可能な対をなす負荷接続端子と；
対をなす導電体接続端子と対をなす負荷接続端子とをそれぞれ電気的に導通させる対をなす電路と；
対をなす電路の少なくともいずれかの一部をなし過電流により変形可能な導電変形部材と；
対をなす電路の少なくともいずれかの一部をなす常開のスイッチ部と；
このスイッチ部を開状態と閉状態とのいずれかに設定する設定部と；
この設定部により設定された閉状態にスイッチ部を保持する保持部と；
対をなす電路のそれぞれの一部が内部に挿通されこれら電路を流れる過電流を加算して磁力を発生させる固定磁性体と；
可動的に設けられ、過電流による導電変形部材の変形と固定磁性体で発生する磁力とのいずれかによって動作することにより保持部によるスイッチ部の閉状態の保持を設定部の設定に拘らず強制的に解除可能な可動部と；
を具備していることを特徴とする回路遮断器。
【請求項２】
対をなす電路のそれぞれの一部は、固定磁性体に対して、流れる電流方向が互いに略等しくなるように挿通されている
ことを特徴とする請求項１記載の回路遮断器。
【請求項３】
固定磁性体に取り付けられ少なくとも一部がこの固定磁性体の内部で各電路間に介在されてこれら電路を互いに絶縁する絶縁スペーサ
を具備していることを特徴とする請求項１または２記載の回路遮断器。
【発明の詳細な説明】
【技術分野】
【０００１】
本発明は、例えば、単相三線式の分電盤に取り付けられる回路遮断器に関する。
【背景技術】
【０００２】
従来、分電盤には分岐ブレーカとして用いられる回路遮断器が取り付けられている。そして、単相三線式の分電盤に用いられる回路遮断器としては、入出力端子を電路により電気的に導通可能とし、この電路に、スイッチ部である常開の接点部を介挿し、この接点部を設定部であるレバーの外部操作によって開状態、あるいは閉状態に設定し、この閉状態で保持部である係止部材をラッチ部材によって係止することで接点部を閉状態に保持する構成が知られている。電路の一部は、一端側が固定され他端側が自由端状の導電変形部材であるバイメタルにより構成されており、このバイメタルは、断面コ字状の固定磁性体である電磁継鉄と、回動可能に配置された可動磁性体との間に介在されている。そして、電路に過電流が流れた際には、バイメタルが変形してラッチ部材を動作させて、係止部材の係止を外すことにより接点部を強制的に開状態とし、また、瞬間的な過電流である短絡電流などが電路に流れた際には、バイメタルを流れる電流によって電磁継鉄が磁力を発生させて可動磁性体を回動させることによりラッチ部材を動作させて、係止部材の係止を外すことにより接点部を強制的に開状態とする(例えば、特許文献１参照。)。
【先行技術文献】
【特許文献】
【０００３】
【特許文献１】特許第４１１０７９４号公報(第２−４頁、図１−４)
【発明の概要】
【発明が解決しようとする課題】
【０００４】
しかしながら、上述のように過電流により発生させた磁力によって接点部を引き外して過電流を遮断する構成において、磁力は効率が悪く、エアギャップなどに応じて発生する大きさが変化することがあるので、一定の磁力を確保するためには大きく厚い電磁継鉄が必要になる。このような電磁継鉄を用いる場合には、小形の筐体に配置する際に、電磁継鉄を本来望ましい位置に対してずらすなど、無理に小形化する構成となるために、遮断特性を安定させることが容易でないという問題点を有している。
【０００５】
本発明は、このような点に鑑みなされたもので、小形でかつ安定した遮断特性を得ることができる回路遮断器を提供することを目的とする。
【課題を解決するための手段】
【０００６】
請求項１記載の回路遮断器は、導電体をそれぞれ接続可能な対をなす導電体接続端子と；負荷を間に接続可能な対をなす負荷接続端子と；対をなす導電体接続端子と対をなす負荷接続端子とをそれぞれ電気的に導通させる対をなす電路と；対をなす電路の少なくともいずれかの一部をなし過電流により変形可能な導電変形部材と；対をなす電路の少なくともいずれかの一部をなす常開のスイッチ部と；このスイッチ部を開状態と閉状態とのいずれかに設定する設定部と；この設定部により設定された閉状態にスイッチ部を保持する保持部と；対をなす電路のそれぞれの一部が内部に挿通されこれら電路を流れる過電流を加算して磁力を発生させる固定磁性体と；可動的に設けられ、過電流による導電変形部材の変形と固定磁性体で発生する磁力とのいずれかによって動作することにより保持部によるスイッチ部の閉状態の保持を設定部の設定に拘らず強制的に解除可能な可動部と；を具備しているものである。
【０００７】
一の導電体接続端子には、例えば接地側極の導電バーが電気的に接続され、他の導電体接続端子には、例えば電圧側極の導電バーが電気的に接続される。
【０００８】
各負荷接続端子は、例えば板ばねなどを介して、負荷側の導電体を接続した態で保持可能となっている。
【０００９】
各電路は、例えば板金、あるいは裸電線などにより一部を構成してもよいし、被覆付きの電線などにより一部を構成してもよい。
【００１０】
導電変形部材は、例えばバイメタルなどが用いられ、回路遮断器の定格電流よりも大きい過電流により徐々に変形するように構成されている。この導電変形部材は、いずれか一方の電路にのみ配置してもよいし、各電路にそれぞれ配置してもよい。
【００１１】
スイッチ部は、例えばコイルばねなどの付勢部材を介して常開状態に付勢されている。このスイッチ部は、導電変形部材と同様に、いずれか一方の電路にのみ配置してもよいし、各電路にそれぞれ配置してもよい。
【００１２】
設定部は、例えばハンドルなどであり、外部操作によってスイッチ部を閉状態と開状態とに切り替え可能となっている。
【００１３】
保持部は、例えば設定部の操作によってスイッチ部を閉状態とした際に、この設定部の操作に連動してスイッチ部を閉状態に保持するものである。
【００１４】
固定磁性体は、例えば鉄などにより形成されており、可動部と対向して配置され、導電変形部材を変形させる過電流よりも大きい瞬間的な過電流である短絡電流などが電路に流れた際に、この短絡電流により磁力を発生させることが可能となっている。
【００１５】
可動部は、例えば鉄などにより形成された磁性体を一部に備え、筐体に回動可能に軸支され、保持部と連結されているとともに、一部が導電変形部材に対向している。
【００１６】
請求項２記載の回路遮断器は、請求項１記載の回路遮断器において、対をなす電路のそれぞれの一部は、固定磁性体に対して、流れる電流方向が互いに略等しくなるように挿通されているものである。
【００１７】
請求項３記載の回路遮断器は、請求項１または２記載の回路遮断器において、固定磁性体に取り付けられ少なくとも一部がこの固定磁性体の内部で各電路間に介在されてこれら電路を互いに絶縁する絶縁スペーサを具備しているものである。
【００１８】
絶縁スペーサは、例えば絶縁性の合成樹脂などにより形成されている。
【発明の効果】
【００１９】
請求項１記載の回路遮断器によれば、対をなす電路のそれぞれの一部を内部に挿通した固定磁性体によって、電路を流れる過電流を加算して磁力を発生させて可動部を動作させることにより、固定磁性体の大きさを必要以上に大きくすることなく相対的に大きな磁力を得ることができるので、過電流により変形して可動部を動作させる導電変形部材とともに、小形でかつ安定した遮断特性を得ることができる。
【００２０】
請求項２記載の回路遮断器によれば、請求項１記載の回路遮断器の効果に加えて、固定磁性体に対して、対をなす電路のそれぞれの一部を、流れる電流方向が略等しくなるように挿通することで、固定磁性体によって、電路を流れる過電流を加算して相対的に大きな磁力を確実に発生させることができ、遮断特性をより安定させることができる。
【００２１】
請求項３記載の回路遮断器によれば、請求項１または２記載の回路遮断器の効果に加えて、絶縁スペーサの少なくとも一部を固定磁性体の内部で各電路間に介在させてこれら電路を互いに絶縁することで、比較的小形の固定磁性体に対しても対をなす電路どうしの短絡を確実に防止できる。
【図面の簡単な説明】
【００２２】
【図１】本発明の一実施の形態の回路遮断器のオフ状態を一側から示す断面図である。
【図２】同上回路遮断器のオフ状態を他側から示す断面図である。
【図３】同上回路遮断器のオン状態を一側から示す断面図である。
【図４】同上回路遮断器のオン状態を他側から示す断面図である。
【図５】同上回路遮断器のトリップ状態を一側から示す断面図である。
【図６】同上回路遮断器のトリップ状態を他側から示す断面図である。
【図７】同上回路遮断器の可動部および保持部の一部を示す斜視図である。
【図８】同上回路遮断器の電路および固定磁性体の一部を示す斜視図である。
【図９】同上回路遮断器の固定磁性体、絶縁スペーサおよび可動部を示す斜視図である。
【図１０】同上回路遮断器を取り付けた分電盤の扉を取り外した状態の正面図である。
【発明を実施するための形態】
【００２３】
以下、本発明の一実施の形態を図面を参照して説明する。
【００２４】
図１は回路遮断器のオフ状態を一側から示す断面図、図２は回路遮断器のオフ状態を他側から示す断面図、図３は回路遮断器のオン状態を一側から示す断面図、図４は回路遮断器のオン状態を他側から示す断面図、図５は回路遮断器のトリップ状態を一側から示す断面図、図６は回路遮断器のトリップ状態を他側から示す断面図、図７は回路遮断器の可動部および保持部の一部を示す斜視図、図８は回路遮断器の電路および固定磁性体の一部を示す斜視図、図９は回路遮断器の固定磁性体、絶縁スペーサおよび可動部を示す斜視図、図１０は回路遮断器を取り付けた分電盤の扉を取り外した状態の正面図である。
【００２５】
図１０において、11は分電盤で、この分電盤11は、主に家庭や店舗などに設置されるもので、垂直な壁面などに設置されるベース12と、このベース12の正面側に取り付けられる枠状のカバー13と、このカバー13の正面側に開閉可能に取り付けられる図示しない扉とを備えている。そして、この分電盤11の内側には、電源線に接続される図示しないリミッタが取り付けられるリミッタ取付部15と、このリミッタの２次側が接続される主幹漏電ブレーカ16と、この主幹漏電ブレーカ16の２次側が接続される複数の回路遮断器17となどが取り付けられ、収納されている。
【００２６】
また、分電盤11は、単相三線式で、主幹漏電ブレーカ16の２次側に接続されたブスバーとも呼ばれる給電体としての導電体である３本の板状の導電バーＮ，L1，L2を必要に応じて備えている。そして、これら導電バーＮ，L1，L2は、例えば上下２列に並ぶ回路遮断器17の間に配置され、本実施の形態では、各回路遮断器17を、中性極としての接地側極である導電バーＮと電圧側極である導電バーL2とに接続することにより、例えば１００Ｖとして利用するようになっている。
【００２７】
そして、各回路遮断器17は、プラグインブレーカ、プラグイン端子ブレーカ、分岐用回路遮断器などとも呼ばれる、いわゆる２Ｐ２Ｅ(２極２素子)型の開閉器で、本実施の形態では、白色の薄形の筐体21を備えた薄形の分岐ブレーカを構成している。なお、回路遮断器17については、通常垂直な壁面に設置される分電盤に備えられるものであるが、以下の説明においては、筐体21を水平な平面上に載置した状態で説明し、図１および図３(図２および図４)における右側(左側)を前側とする。
【００２８】
筐体21は、絶縁性を有する合成樹脂にて形成された一対のケース体23を組合せ、これらケース体23を図示しない複数のリベット(ピン)で連結して薄箱状に形成されている。また、このケース体23の内側は、筐体21を構成する絶縁性を有する区画体であるセパレータ24により両側に区画されている。
【００２９】
また、この筐体21には、一端部としての後側部に、導電体接続端子としての電源端子金具26，27が収納され、中央部に熱動式の回路遮断部28が収納されているとともに、他端部としての前側部に負荷接続部29が収納され、電源端子金具26，27から負荷接続部29へと、それぞれ電路R1，R2が構成されている。そして、筐体21の後端部には、上下に所定間隔で導電体接続口31，32，33が形成されており、導電体接続口33，31が電源端子金具26，27に臨んでいる。さらに、筐体21の前端部には、円孔状の両側一対の電線挿入口35，36が形成されている。
【００３０】
また、筐体21には、下部の底面部41に、分電盤11(図１０)に係合して取り付けられる前後一対の取付部42aが形成されているとともに、前側の端部には、係合を保持するロックレバー42bが上下動可能に取り付けられている。そして、上部の天面部43には、電線接続用レバー取付部45、および、ハンドル取付部46が形成されている。また、筐体21の両側面は、略平面状に形成されている。
【００３１】
電源端子金具26，27は、導電体接続口33，31側に開口した断面コ字状に形成されており、導電体接続口33，31側が上下に幅狭となるように屈曲され、導電バーL2，Ｎを弾性的に挟持可能となっている。また、これら電源端子金具26，27は、ケース体23あるいはセパレータ24に一体などに形成された区画板48により、他の部分から区画された収納部49に収納されている。
【００３２】
また、回路遮断部28は、電源端子金具26，27に対して接続配線51，52を介して電気的に接続された過電流引外し手段を構成する導電変形部材としての上下に長手状の板体であるバイメタル53，54と、これらバイメタル53，54の前方に対向する固定磁性体としての磁鉄片である電磁継鉄56と、この電磁継鉄56の前部に回動可能に軸支された可動部57と、これらバイメタル53，54に一端側が挿通配線としての一方および他方の磁力発生配線である一方および他方の接続配線58，59を介して電気的に接続され他端側が負荷接続部29側に電気的に接続されたスイッチ部61，62と、これらスイッチ部61，62の開閉を設定制御する開閉機構63とを備えている。
【００３３】
接続配線51，52は、電路R1，R2の一部を構成するもので、例えば板金、裸電線、あるいは被覆電線によって形成されており、区画板48に形成された挿通孔部48a，48bに挿通されて収納部49から前方へと導出されている。
【００３４】
また、バイメタル53，54は、電路R1，R2の一部を構成しており、回路遮断器17の定格電流よりも大きい異常電流などの過電流により徐々に変形するものである。さらに、これらバイメタル53，54には、一端部である下端部の一主面である後面に支持体としてのスペーサ65，66が一体的に取り付けられている。そして、これらスペーサ65，66が区画板48に例えば上向きのフック状に形成された係止部48c，48dに係止されていることにより、バイメタル53，54は、区画板48から前方に離間された位置で、下端部が筐体21に支持されているとともに、他端部である上端部が前後方向へと変形屈曲可能な自由端状となっている。さらに、バイメタル53，54は、それぞれセパレータ24を間に介在して筐体21内の一側と他側とに互いに離間されて配置されている。
【００３５】
ここで、スペーサ65，66は、バイメタル53，54の下方から前方へと筐体21の底面部41に沿って延出した延出部65a，66aを備えており、これら延出部65a，66aが、底面部41に形成された調整孔41a，41bに対向している。そして、これら調整孔41a，41bには、バイメタル53，54の調整用の調整体である調整ねじ68，69が配置されている。
【００３６】
また、電磁継鉄56は、例えば鉄などの磁性体によって形成されており、図９に示すように、互いに略平行に配置された側板部56a，56bと、これら側板部56a，56bの後端部間に連続する連続板部としての後板部56cとを一体に備える断面コ字状をなしている。これら側板部56a，56bは、それぞれ後板部56cよりも上方へと突出している。したがって、後板部56cの上方には、側板部56a，56bとの間に、後方へと臨む開口部71が形成されている。さらに、電磁継鉄56は、セパレータ24の上側に切り欠き形成された配置開口部72に取り付けられ、セパレータ24に形成された磁性体支持部である支持板部73に下側および後側が支持されている。すなわち、この電磁継鉄56は、筐体21内の一側と他側とに亘って、これら両側間の中心位置に配置されている。そして、電磁継鉄56の内部には、絶縁スペーサ74が取り付けられている。
【００３７】
この絶縁スペーサ74は、例えば絶縁性を有する合成樹脂などにより電磁継鉄56の内部に嵌合保持される角筒状に形成されており、両側の中心位置に、上下方向に沿って絶縁壁74aが一体に形成されている。したがって、この絶縁スペーサ74は、電磁継鉄56の内部に、絶縁壁74aによって区画空間部74b，74cを両側に略均等にそれぞれ区画しており、この絶縁壁74aが、バイメタル53，54の間に位置している。そして、これら区画空間部74b，74cは、上端部が開口部71を介してバイメタル53，54のそれぞれの前側に臨んでいる。
【００３８】
また、可動部57は、回動可能な支持板76と、この支持板76により支持される可動磁性体としての板状の電磁片77と、この電磁片77の上端部に一体的に固定された変形伝達部としての作動駒78とを備えている。
【００３９】
支持板76は、板状に形成されており、電磁継鉄56の側板部56a，56bの下端寄りの前部に回動可能に両側が軸支され、電磁継鉄56の側板部56a，56b間にて、これら側板部56a，56bよりも上方に突出している。
【００４０】
また、電磁片77は、例えば鉄などの磁性体により板状に形成され、図７に示すように、支持板76に対して複数のピン79などを介して一体的に支持されており、支持板76とともに前後方向に回動可能となっている。さらに、電磁片77の上端部は、図９に示すように、支持板76よりも上方に突出し、作動駒78に連結されている。
【００４１】
また、作動駒78は、バイメタル53，54の過電流による変形を支持板76(電磁片77)に伝達するものであり、一端部すなわち前端部である連結部78aが電磁片77の上端部と連結されており、この連結部78aから後方へと、突出部78bがバイメタル53，54間で突出しており、この突出部78bの他端部すなわち後端部に、バイメタル53，54と区画板48との間に位置する接触板部78c，78dが両側方に向けて突出している。さらに、連結部78aの後端部には、セパレータ24の配置開口部72の縁部が嵌合して可動部57の回動をガイドするガイド溝部78eが形成されている。そして、接触板部78c，78dには、それぞれ過電流により変形したバイメタル53，54の上端部と当接可能な当接突起部78f，78gが前方に向けて突設されている。
【００４２】
また、図１ないし図４に示すように、接続配線58は、電路R1の一部を構成するもので、例えば板金、あるいは裸電線などにより形成されており、一端58a側がバイメタル53の上端近傍に電気的に接続され、両端間の中間部分58bが電磁継鉄56に取り付けられた絶縁スペーサ74により区画された区画空間部74b内に上下方向に挿通されて、他端58c側が中間部分58bから前方へと延びてスイッチ部61に電気的に接続されている。そして、この接続配線58は、一端58a側から他端58c側へと電流が流れるように構成されている。
【００４３】
また、接続配線59は、電路R2の一部を構成するもので、例えば板金、あるいは裸電線などにより形成されており、一端59a側がバイメタル54の下端近傍に電気的に接続され、両端間の第１中間部分59bが電磁継鉄56に取り付けられた絶縁スペーサ74により区画された区画空間部74c内に上下方向に挿通され、この第１中間部分59bの上端部から電磁継鉄56の側方に沿って第２中間部分59cが下方へと折り返されるように延び、かつ、他端59d側が第２中間部分59cの下端部から前方へと延びてスイッチ部62に電気的に接続されている。そして、この接続配線59は、他端59d側から一端59a側へと電流が流れるように構成されている。また、接続配線59の第１中間部分59bは、接続配線58の中間部分58bと絶縁壁74aを介して電気的に絶縁されている。ここで、第１中間部分59bは、接続配線58の中間部分58bと、絶縁スペーサ74(電磁継鉄56)の両側方向の中心線に対して、互いに略線対称な位置に配置されている。
【００４４】
また、スイッチ部61，62は、電路R1，R2の一部を構成するもので、それぞれ一端側である可動接点板としてのコンタクトアーム81，82と、負荷接続部29側と電気的に接続される固定接点部83，84とを備えている。
【００４５】
コンタクトアーム81，82は、例えば弾性的に変形可能な板ばねにより長手状に形成されており、基端側に接続配線58，59が電気的に接続され、先端側の下部に可動接点81a，82aがそれぞれ取り付けられている。そして、これらコンタクトアーム81，82は、固定接点部83，84に対して離間される上方へと付勢されている。したがって、スイッチ部61，62は常開となっている。
【００４６】
また、固定接点部83，84は、コンタクトアーム81，82の先端側の下方に位置しており、上部に固定接点83a，84aがそれぞれ取り付けられている。これら固定接点83a，84aは、コンタクトアーム81，82の変形によって可動接点81a，82aに対して接離されることにより、スイッチ部61，62を閉状態(導通状態)、あるいは開状態(非導通状態)とするものである。
【００４７】
また、開閉機構63は、ハンドル取付部46に前後方向に回動可能に取り付けられた設定部としての操作部であるハンドル86、このハンドル86に回動可能に連結されたリンク軸であるリンク87、このリンク87に回動可能に連結された保持部としてのラッチ体88、および、リンク87に押動されてコンタクトアーム81，82を押動する押動体89などを備えている。
【００４８】
ハンドル86は、外部操作によってスイッチ部61，62を閉状態と開状態とに切り替え可能とするためのものであり、スナップとも呼ばれ、操作部付勢手段としてのねじりコイルばね91により所定の回動方向、本実施の形態では前方へと付勢されている。また、このハンドル86は、後側の位置でリンク87に連結されている。
【００４９】
また、ラッチ体88は、前後方向に長手状に形成されており、図７に示すように、一端である後端88a側が、支持板76に開口形成された角孔状の挿入孔部76aおよびこの挿入孔部76aに連通して電磁片77に開口形成された角孔状の磁性体挿入孔部である孔部77aに挿入されて上下移動可能に構成され、他端である前端88b側が押動体89の上端部に上側から接触している。さらに、このラッチ体88は、図１ないし図４に示すように、後端88aと前端88bとの間の位置でリンク87に連結されている。
【００５０】
また、押動体89は、セパレータ24に形成された押動体ガイド溝部93により上下方向に移動可能にガイドされている。さらに、この押動体89の下部には、コンタクトアーム81，82の両端間の位置でこれらコンタクトアーム81，82の上部に対向する押圧部89a，89bが両側に形成されている。また、この押動体89は、付勢手段としてのコイルばね94により上方向へと付勢されている。
【００５１】
そして、図３および図４に示すように、ハンドル86をねじりコイルばね91の付勢に抗して後方へと回動させた状態では、このハンドル86の回動に伴いリンク87とともにラッチ体88が下方へと押し下げられることで、このラッチ体88の前端88bによりコイルばね94の付勢に抗して押動体89が下方へと押し下げられ、押圧部89a，89bがそれぞれコンタクトアーム81，82を変形させつつ下方へと押動して、可動接点81a，82aを固定接点83a，84aに接触させる。この状態では、ラッチ体88の後端88aが各孔部76a，77aの下縁部に当接することにより、ラッチ体88の前端88b側が上方へと回動することが規制されるので、過電流が流れていないときには、可動接点81a，82aが固定接点83a，84aに接触した状態、すなわち電路R1，R2(スイッチ部61，62)が閉状態で維持される。すなわち、ラッチ体88は、ハンドル88の操作によってスイッチ部61，62を閉状態に設定した際に、このハンドル88の操作に連動してスイッチ部61，62を閉状態に保持する。一方、図１および図２に示すように、ハンドル86を前方へと回動させた状態では、このハンドル86の回動に伴いリンク87とともにラッチ体88が上方へとコイルばね94の付勢により押し上げられることで、押圧部89a，89bがそれぞれコンタクトアーム81，82から離間され、これらコンタクトアーム81，82が復帰変形することで可動接点81a，82aが固定接点83a，84aに対して離間された状態、すなわち電路R1，R2(スイッチ部61，62)が開状態で維持される。
【００５２】
また、負荷接続部29は、ねじなし端子を構成し、ＳＬ端子部とも呼ばれるもので、筐体21に固定された導電性を有する負荷接続端子96，97、弾性変形可能な金属製でありＳＬ端子ばねとも呼ばれる係止板98，99、使用者に操作される操作体としての絶縁性のレバー101，102、および、負荷の接続を表示する表示体103，104などを備えている。
【００５３】
負荷接続端子96，97は、固定接点部83，84と一体に形成されており、電線挿入口35，36の軸方向に沿って配置され、前端96a，97a側が電線挿入口35，36の内部の上側に臨んでいる。すなわち、これら負荷接続端子96，97は、電路R1，R2を介して電源端子金具26，27に電気的に接続可能となっている。また、負荷接続端子96，97は、筐体21に形成されたリブ107，108に直接あるいは間接に当接することにより、がたつくことなく保持されている。
【００５４】
また、係止板98，99は、負荷接続端子96，97とリブ107，108との間に挟持される基部98a，99aと、これら基部98a，99aから延設されて弧状に屈曲された屈曲部98b，99bと、これら屈曲部98b，99bの先端部に開口形成された角孔状の電線係止部(図示せず)とを有している。そして、これら電線係止部内に負荷接続端子96，97が挿通するように配置され、係止板98，99の復帰変形する付勢力により、電線係止部の縁部が負荷接続端子96，97に圧接されている。
【００５５】
また、レバー101，102は、筐体21の電線接続用レバー取付部45にそれぞれ上下方向に回動可能に支持されており、外部操作されるレバー操作部101a，102aと、これらレバー操作部101a，102aに対して略反対側に延設された作用部101b，102bとを一体に有している。さらに、これらレバー101，102は、それぞれレバー付勢手段としてのねじりコイルばね111，112により所定の回動方向、本実施の形態では、下方向へと付勢されている。そして、これらレバー101，102は、例えば互いに異なる色に着色されている。
【００５６】
また、表示体103，104は、係止板98，99の後方の位置にて筐体21に前後方向に回動可能に軸支されており、電線挿入口35，36の延長上に位置するように下方に突出する接触腕部103a，104aと、レバー101，102の後方にて筐体21に前方に向けて開口形成された表示窓部114，115に位置するように上方へと突出する突出腕部103b，104bとを一体に備えている。さらに、これら表示体103，104は、例えば少なくとも突出腕部103b，104bが互いに異なる色に着色されている。
【００５７】
そして、この負荷接続部29は、レバー101，102を上方に引き上げることにより、作用部101b，102bが係止板98，99の屈曲部98b，99bを下方に押動し、これら係止板98，99の各電線係止部が負荷接続端子96，97の下面に沿った電線挿入口35，36に対向して開口し、この状態で、負荷側の各電線を電線挿入口35，36から各電線係止部内に挿入することで、各電線が表示体103，104の接触腕部103a，104aを後方へと押圧して表示体103，104が前方へと回動し、突出腕部103b，104bが表示窓部114，115から前方へと突出して各電線の適正な接続状態を表示する。次いで、レバー101，102を前側下方におろすことにより、係止板98，99が復帰変形し、各電線係止部の縁部が挿入された各電線を負荷接続端子96，97に圧接させ、各電線を負荷接続端子96，97に電気的に接続するとともに、機械的に抜け止めする。一方、再度レバー101，102を引き上げることにより、容易に各電線を電線挿入口35，36から引き抜いて取り外せるようになっている。このとき、表示体103，104はそれぞれ復帰回動して、表示窓部114，115内へと突出腕部103b，104bが後退し、各電線の非接続状態を(間接的に)表示する。
【００５８】
次に、上記一実施の形態の動作を説明する。
【００５９】
分電盤11に対して、取付部42aを係合して、スライドさせることにより回路遮断器17を取り付けると、導電バーL2，Ｎが導電体接続口33，31からそれぞれ相対的に挿入されて、これら導電バーL2，Ｎが電源端子金具26，27に弾性的に挟持され、電気的に接続される。
【００６０】
この状態で、図３および図４に示すように、ハンドル86を後方へと回動させることにより、過電流が流れていない状態では、可動接点81a，82aが固定接点83a，84aに接触した状態、すなわち電路R1，R2(スイッチ部61，62)が閉状態で維持される。この結果、導電バーL2，Ｎ側から電路R1，R2を介して、負荷側へと電源が供給される。
【００６１】
ここで、負荷に過電流、例えば回路遮断器17の定格電流２０Ａに対して３０Ａ程度の過電流が流れた場合には、図５および図６の想像線A1，A2に示すように、過電流によって発熱したバイメタル53，54の上端側がそれぞれ後方へと徐々に湾曲し、可動部57の作動駒78の当接突起部78f，78gに当接する。この結果、作動駒78がガイド溝部78eとセパレータ24の配置開口部72の縁部との嵌合によりガイドされつつ後方へと移動することにより、図５および図６の想像線A3，A4に示すように、作動駒78を介して電磁片77および支持板76、すなわち可動部57が後方へと回動するため、ラッチ体88の後端88aが孔部76a，77aから脱落し、コイルばね94の付勢により押動体89が上方へと押し上げられ、押圧部89a，89bがコンタクトアーム81，82から離間される。この結果、可動接点81a，82aと固定接点83a，84aとが引き外され、負荷が電源側から遮断される(トリップ状態)。
【００６２】
また、図３および図４に示す回路の閉状態で、例えば負荷側での短絡などにより生じる短絡電流などの過電流、例えば回路遮断器17の定格電流２０Ａに対して３００Ａ程度の過電流が瞬時に流れた場合には、図８に示すように、接続配線58の中間部分58bには、矢印A5に示す方向に過電流が流れ、接続配線59の第１中間部分59bには、矢印A6に示す方向に過電流が流れる。すなわち、接続配線58，59には、電磁継鉄56内で略同方向に沿って過電流が流れるため、これら接続配線58，59の中間部分58b，59bが内部に挿通されている電磁継鉄56に強力な磁力が発生する。このとき、この結果、図５および図６の想像線A3，A4に示すように、電磁継鉄56に電磁片77が瞬時に吸着されて可動部57が後方へと回動し、ラッチ体88の後端88aが孔部76a，77aから脱落し、コイルばね94の付勢により押動体89が上方へと押し上げられ、押圧部89a，89bがコンタクトアーム81，82から離間される。この結果、可動接点81a，82aと固定接点83a，84aとが引き外され、負荷が電源側から瞬時に遮断される(トリップ状態)。
【００６３】
上述したように、上記一実施の形態によれば、電路R1，R2のそれぞれの一部をなす接続配線58，59の中間部分58b，59bを内部に挿通した電磁継鉄56によって、電路R1，R2を流れる過電流(短絡電流)を加算して相対的に大きな磁力を発生させ、本実施の形態では電路R1，R2に流れる過電流を同時に用いて２倍の起磁力を得て可動部57を動作させることにより、電磁継鉄56の大きさを必要以上に大きくすることなく相対的に大きな磁力を得ることができるので、過電流により変形して可動部57を動作させるバイメタル53，54とともに、小形でかつ安定した遮断特性を得ることができる。すなわち、瞬時の過電流に対しては電磁継鉄56により安定的に遮断させることができ、異常電流などの通常の過電流に対しては、バイメタル53，54により安定的に遮断できるので、信頼性を向上できる。
【００６４】
具体的に、電磁継鉄56に対して、電路R1，R2の接続配線58，59の中間部分58b，59bを、流れる電流方向が略等しくなるように、すなわち電路R1，R2(接続配線58，59)のそれぞれの高圧側を上側、低圧側を下側として挿通することで、電磁継鉄56によって、電路R1，R2を流れる過電流を加算して相対的に大きな磁力を確実に発生させることができ、遮断特性をより安定させることができる。
【００６５】
すなわち、従来、一定の電磁力を確保するためには大きくて厚い電磁継鉄が必要であり、そのため小形の回路遮断器に入れるためには、他の部材との位置をずらしたり、電磁継鉄を無理に小形にしたりするため、特性を安定させることが容易でなかった。特に、２Ｐ２Ｅ型の回路遮断器では、電圧側極と接地側極とのそれぞれに回路遮断部を配置することが好ましいものの、従来の構成では、筐体内に回路遮断部を２列に配置することが難しく、これらを互い違いの位置に配置したり、小形で電磁力の小さな電磁継鉄としたりするなど、遮断特性の信頼性が充分でないおそれがあった。さらに、磁力は効率が悪く、エアギャップなどにより発生する力が大きく変化することがあり、発生する磁力のばらつき、エアギャップによる磁力のばらつき、電磁継鉄の中の導電部材の位置などにより、回路遮断部の瞬時動作が必ずしも安定したものでなく、信頼性を確保することが容易でなかった。
【００６６】
したがって、本実施の形態では、１つの電磁継鉄56の中に各極の接続配線58，59を挿通させ、かつ、電流の流れる方向が略等しくなるようにすることで、一線すなわち電圧側極に流れる電流によって発生する磁力のみを用いる従来例と比較して、磁界の発生を互いに打ち消さず、電磁継鉄56での起磁力を約２倍にして、回路遮断部28の動作を安定させることができるとともに、相対的に小さい電流値でも大きな磁力を発生させることができるようになる。また、電圧側極および接地側極、すなわち各電路R1，R2にそれぞれ回路遮断部28を配置せずに済むため、回路遮断器17の小形化が可能となる。
【００６７】
さらに、絶縁スペーサ74の絶縁壁74aを電磁継鉄56の内部で電路R1，R2の接続配線58，59間に介在させてこれら電路R1，R2を互いに絶縁することで、充分な絶縁距離を確保して、比較的小形の電磁継鉄56に対しても対をなす電路R1，R2どうしの短絡を確実に防止できる。すなわち、本実施の形態では、左右の両極で１つの回路遮断部28(電磁継鉄56)によって瞬時引外しを可能とすることにより安定した遮断特性を保持させることができるものの、接続配線58，59間およびバイメタル53，54(電路R1，R2)間での絶縁距離を構造的に取ることが容易でない。このため、接続配線58，59(バイメタル53，54)を筐体21内の両側の同位置に配置させ、その前方に位置する回路遮断部28の電磁継鉄56内に組み込んだ絶縁スペーサ74に設けた絶縁壁74aを接続配線58，59(バイメタル53，54)間に位置させることにより、絶縁距離を確保できる。したがって、例えば各バイメタルの位置を上下あるいは左右などにずらしたりする従来例のように、部品点数が増加したり遮断特性が低下したりすることがない。
【００６８】
そして、１つの回路遮断部28の電磁継鉄56の両側に、この電磁継鉄56の中心線に対して対称に接続配線58，59(バイメタル53，54)を配置することにより、電磁継鉄56からの磁力およびバイメタル53，54の変形による力を、支持板76および電磁片77が均等に受けることができるため、安定した引外し性能が確保できる。
【００６９】
なお、上記一実施の形態において、回路遮断器17としては、スイッチ部を電路R1あるいは電路R2のみに配置した、いわゆる２Ｐ１Ｅ(２極１素子)型のものでも対応できる。
【００７０】
また、導電変形部材(バイメタル)は、いずれか一方の電路にのみ配置してもよい。
【００７１】
また、導電バーL2，Ｎ間を接続する１００Ｖ仕様のものだけでなく、例えば導電バーL1，L2間を接続する２００Ｖ仕様のものでも対応できる。この場合には、電源端子金具27を導電体接続口32に配置することにより、上記実施の形態と同様の作用効果を奏することができる。
【００７２】
さらに、接続配線58，59としては、被覆電線を用いることも可能である。この場合には、絶縁スペーサ74が不要となり、電磁継鉄56などの一層の小形化を図ることが可能になる。
【符号の説明】
【００７３】
17    回路遮断器
26，27    導電体接続端子としての電源端子金具
53，54    導電変形部材としてのバイメタル
56    固定磁性体としての電磁継鉄
57    可動部
61，62    スイッチ部
74    絶縁スペーサ
86    設定部としてのハンドル
88    保持部としてのラッチ体
96，97    負荷接続端子
L2，Ｎ    導電体としての導電バー
R1，R2    電路
【図１】
2011065952.tif 000003
【図２】
2011065952.tif 000004
【図３】
2011065952.tif 000005
【図４】
2011065952.tif 000006
【図５】
2011065952.tif 000007
【図６】
2011065952.tif 000008
【図７】
2011065952.tif 000009
【図８】
2011065952.tif 000010
【図９】
2011065952.tif 000011
【図１０】
2011065952.tif 000012